(57)【特許請求の範囲】
【請求項１】
フレキシブルな材質からなる本体と；
前記本体に備えられるディスプレイ部と；
前記本体の内部に備えられるフレキシブル回路基板と；
常温では平らな形態を維持する第１プレートと、常温より高い特定の温度以上では超弾性状態で曲げられた状態を維持し、前記超弾性状態で前記第１プレートよりも弾性力が大きくなる第２プレートと、を含み、前記第１プレートと前記第２プレートとが一体的に接合されたプレートにより前記本体の撓みを制御する曲げ調節部と；を含む
ことを特徴とするフレキシブル電子デバイス。
【請求項２】
前記第１プレートは形状記憶合金、高弾性の金属、ポリマー、及びポリマー複合材料のいずれかを含み、
前記第２プレートは形状記憶合金を含む
請求項１に記載のフレキシブル電子デバイス。
【請求項３】
前記第２プレートの一面には発熱層が形成され、
他面には熱や電磁波を遮断するための遮蔽層が形成される
請求項２に記載のフレキシブル電子デバイス。
【請求項４】
前記本体と結合して、前記本体が曲がる場合曲げられた状態を固定させる固定装置を含む
請求項１に記載のフレキシブル電子デバイス。
【請求項５】
前記固定装置は、
内部カバーと；
前記内部カバーに結合される外部カバーと；を含む
請求項４に記載のフレキシブル電子デバイス。
【請求項６】
前記内部カバーと前記外部カバーの結合を解除するために、前記内部カバー又は前記外部カバーの一面に形状記憶合金の第3プレートを含む
請求項５に記載のフレキシブル電子デバイス。
【請求項７】
前記電子デバイスはユーザーインターフェースにより、前記曲げ調節部による撓みのオンオフと、曲げられた状態を維持する時間をユーザーから入力を受けて、ユーザーから入力された情報に基づいて前記第２プレートへの電源の供給を制御する
請求項４ないし６のいずれかに記載のフレキシブル電子デバイス。
【請求項８】
フレキシブルな材質からなる本体と；
前記本体に備えられるディスプレイ部と；
前記本体の内部に備えられるフレキシブル回路基板と；
常温ではフレキシブルな状態を維持し、常温より高い特定の温度以上では記憶した形状を維持する形状記憶バネ又は形状記憶輪と、両端が前記形状記憶バネの両端部、及び本体内の両側面にそれぞれ連結されるワイヤと、からなり、前記形状記憶バネ又は形状記憶輪の表面には発熱層が形成され、前記本体の撓みを制御する曲げ調節部と；を含み、
前記形状記憶バネ又は形状記憶輪は、常温では前記本体の弾性力によって伸びた状態で維持され、前記発熱層が印加された電気によって熱を発生する場合、前記特定の温度以上で超弾性状態となり前記本体を曲げる
ことを特徴とするフレキシブル電子デバイス。
【請求項９】
前記形状記憶バネ又は形状記憶輪の外側には形状記憶バネ又は形状記憶輪が設けられる装着ボックスが備えられる
請求項８に記載のフレキシブル電子デバイス。
【請求項１０】
前記装着ボックスの表面全体又は一面には熱や電磁波を遮断するための遮蔽層が形成される
請求項９に記載のフレキシブル電子デバイス。
【請求項１１】
前記曲げ調節部は前記装着ボックスが内部に設けられ、前記ワイヤの両端部が両内側面に連結されるカバーボックスを備える
請求項９に記載のフレキシブル電子デバイス。
【請求項１２】
前記カバーボックスの前面と背面の厚さは相異なるように形成され、厚さが薄い部分の中心部が凹状に曲げられる
請求項１１に記載のフレキシブル電子デバイス。
【請求項１３】
フレキシブル本体と；
常温では平らな形態を維持する第１プレートと、常温より高い特定の温度以上では超弾性状態で曲げられた状態を維持し、前記超弾性状態で前記第１プレートよりも弾性力が大きくなる第２プレートと、を含み、前記第１プレートと前記第２プレートとが一体的に接合されたプレートにより前記本体の撓みを制御する曲げ調節部と；を含む
ことを特徴とするフレキシブル電子デバイス。
【請求項１４】
前記第１プレートは形状記憶合金、高弾性の金属、ポリマー、及びポリマー複合材料のいずれかを含み、
前記第２プレートは形状記憶合金を含む
請求項１３に記載のフレキシブル電子デバイス。
【発明の詳細な説明】
【技術分野】
【０００１】
本発明は、フレキシブル電子デバイスに関するものである。より詳細には簡単な構造で電子デバイスを曲げることができるだけでなく、撓みを制御する過程で発生する熱と圧力によって、電子デバイスの内部回路やディスプレイ部が損傷することを確実に防止することができるフレキシブル電子デバイスに関するものである。
【背景技術】
【０００２】
ほとんどの電子デバイスはディスプレイ部を備えて映像や文字などを表示する。その代表的な例としては、携帯が可能であり、音声や画像通話を行うことができる機能、情報の入力・出力を行うことができる機能、データ送受信機能、及びデータ保存機能などのうち、１つ以上の機能を備えた携帯端末がある。
このような携帯端末は、その機能が多様化することによって、写真や動画の撮影、音楽や動画ファイルの再生、ゲーム、放送の受信、無線インターネットなどの複雑な機能を備えており、総合的なマルチメディアプレーヤー（Ｍｕｌｔｉｍｅｄｉａ  ｐｌａｙｅｒ）の形態で実現される。
そして、マルチメディアプレーヤーの形態で実現された携帯端末は複雑な機能を実現するために、ハードウェア又はソフトウェア的な側面において新しく多様な試みが行われている。一例として、携帯端末にはユーザーが簡単で便利に機能を検索したり、選択するためのユーザインタフェース（Ｕｓｅｒ  Ｉｎｔｅｒｆａｃｅ）環境などが提供されている。
ところが、このようなディスプレイ部を備えた電子デバイスは、平らな状態を維持するため、大型のＴＶなどの場合は、その中心部と両端部の視野角が相異なって、ディスプレイ部に表示される映像の現実感が低下する問題点がある。
【０００３】
このような問題点を解決するために、図１及び図２に示すような特許文献１に記載された技術を有する電子デバイスが開発されている。この電子デバイスの技術的特徴をみると、少なくとも一部がフレキシブルな材質からなる本体２と、この本体２に備えられて映像を表示するディスプレイ部１と、この本体２の内部に備えられ、電気的信号を選択的に提供することによって、自分の形状を変化させて本体の形状を変形するアクチュエータ８と、を含んで構成されており、アクチュエータ８は温度変化に応じて、本来の形状と変形した形状との間で交互に変更する形状記憶合金からなることを特徴とする。
また、特許文献１に記載された技術は形状記憶合金からなるアクチュエータ８をフレキシブルな本体２の内部に備え、電子デバイスが曲げられるように制御して、よりリアルな映像を表示することができる利点がある。しかし、アクチュエータ８を一つの素材の形状記憶合金で形成したため、画面が曲げられた状態を安定的に維持することはできるが、平らな状態を安定的に維持することができない問題点がある。
また、アクチュエータ８を形成する形状記憶合金を制御するためにアクチュエータを加熱することがあり、この過程で発生する熱や電磁波により電子デバイスの内部に備えられる回路基板やディスプレイ部が損傷する恐れがあるなどの問題がある。
【先行技術文献】
【特許文献】
【０００４】
【特許文献１】韓国特許公開第１０−２０１１−００４８６４０号
【発明の概要】
【発明が解決しようとする課題】
【０００５】
そこで、本発明は、電子デバイス全体を一定の角度で曲げられるように制御することによって、ディスプレイ部から出力される映像の現実感をより高めることができるフレキシブル電子デバイスを提供することを課題とする。
【０００６】
また、本発明の他の目的は曲げられた状態と平らな状態をより安定的に維持できるようにするフレキシブル電子デバイスを提供することにある。
また、本発明の他の目的はディスプレイ部とフレキシブル回路基板が損傷することを確実に防止することができるフレキシブル電子デバイスを提供することにある。
更に、本発明の他の目的は長時間使用しても安定的に曲げられた状態と平らな状態を維持することができるフレキシブル電子デバイスを提供することにある。
更に、本発明の他の目的は一時的な電源供給により曲げられた状態を維持することによって、電力消費を最小化することができるフレキシブル電子デバイスを提供することにある。
また更に、本発明の他の目的は曲げられた状態から平らな状態に迅速に変形することができるフレキシブル電子デバイスを提供することにある。
【課題を解決するための手段】
【０００７】
前記目的を達成するために、本発明の一態様に係るフレキシブル電子デバイスは、フレキシブルな材質からなる本体と；前記本体に備えられるディスプレイ部と；前記本体の内部に備えられるフレキシブル回路基板と；常温で平らな形態を維持する第１プレートと、特定の温度以上で曲げられた状態を維持し、超弾性状態で前記第１プレートよりも弾性力が大きくなる第２プレートと、を含み、これらのプレートにより前記本体の撓みを制御する曲げ調節部と；を含むことを特徴とする。
【０００８】
前記第１プレートは形状記憶合金、高弾性の金属、ポリマー、及びポリマー複合材料のいずれかを含み、前記第２プレートは形状記憶合金を含むことができる。
前記第２プレートの一面には発熱層が形成され、他面には熱や電磁波を遮断するための遮蔽層が形成されることができる。
前記第１プレートは室温でリング状を維持する形状記憶合金、高弾性の金属、ポリマー、及びポリマー複合材料のいずれかを含み、前記第２プレートは特定の温度以上で円弧状を維持する形状記憶合金を含むことができる。
【０００９】
前記曲げ調節部は平板又はリング状の炭素繊維強化プラスチックからなるメインプレートと、前記メインプレートの内部に備えられ、特定の温度以上になる場合に平板又はリング状から変形した状態を維持させる形状記憶合金からなる補助プレートと、を含むことができる。
前記メインプレートは電気の供給により熱を発生させて補助プレートを加熱し、前記メインプレートの一面には熱や電磁波を遮断するための遮蔽層が形成されることができる。
前記曲げ調節部は常温でフレキシブルな状態を維持し、特定の温度以上では記憶した形状を維持する形状記憶バネ又は形状記憶輪と、両端が前記形状記憶バネの両端部、及び本体内の両側面にそれぞれ連結されるワイヤと、を含むことができる。
【００１０】
前記本体と結合して、前記本体が曲がる場合曲げられた状態を固定させる固定装置を含むことができる。
前記固定装置は内部カバーと、前記内部カバーに結合される外部カバーと、を含むことができる。
前記内部カバーと前記外部カバーの結合を解除するために前記内部カバー又は前記外部カバーの一面に形状記憶合金の第3プレートを含むことができる。
前記電子デバイスはユーザーインターフェースにより、前記曲げ調節部による撓みのオンオフと、曲げられた状態を維持する時間をユーザーから入力を受けて、ユーザーから入力された情報に基づいて前記第２プレートへの電源の供給を制御することができる。
【００１１】
一方、本発明の他の態様に係るフレキシブル電子デバイスは、フレキシブルな材質からなる本体と；前記本体に備えられるディスプレイ部と；前記本体の内部に備えられるフレキシブル回路基板と；常温ではフレキシブルな状態を維持し、特定の温度以上では記憶した形状を維持する形状記憶バネ又は形状記憶輪と、両端が前記形状記憶バネの両端部、及び本体内の両側面にそれぞれ連結されるワイヤと、からなり、前記形状記憶バネ又は形状記憶輪の表面には発熱層が形成され、前記本体の撓みを制御する曲げ調節部と；を含むことを特徴とする。
【００１２】
前記形状記憶バネ又は形状記憶輪の外側には形状記憶バネ又は形状記憶輪が設けられる装着ボックスを更に備えることができる。
前記装着ボックスの表面全体又は一面には熱や電磁波を遮断するための遮蔽層が形成されることができる。
前記曲げ調節部は前記装着ボックスが内部に設けられ、前記ワイヤの両端部が両内側面に連結されるカバーボックスを更に備えることができる。
前記カバーボックスの前面と背面の厚さは相異なるように形成され、厚さが薄い部分の中心部が凹状に曲げられることができる。
【００１３】
また、本発明の他の態様に係るフレキシブル電子デバイスは、フレキシブル本体と；常温で平らな形態を維持する第１プレートと、特定の温度以上で曲げられた状態を維持し、超弾性状態で前記第１プレートよりも弾性力が大きくなる第２プレートと、を含み、これらのプレートにより前記本体の撓みを制御する曲げ調節部と；を含むことを特徴とする。
【００１４】
前記第１プレートは形状記憶合金、高弾性の金属、ポリマー、及びポリマー複合材料のいずれかを含み、前記第２プレートは形状記憶合金を含むことができる。
前記曲げ調節部は平板又はリング状の炭素繊維強化プラスチックからなるメインプレートと、前記メインプレートの内部に備えられ、特定の温度以上になる場合に平板又はリング状から変形した状態を維持させる形状記憶合金からなる補助プレートと、を含むことができる。
【発明の効果】
【００１５】
本発明に係るフレキシブル電子デバイスによれば、電子デバイス全体を一定の角度で曲げられるように制御することによって、ディスプレイ部から出力される映像の現実感をより高めることができる。
【００１６】
そして、本発明に係るフレキシブル電子デバイスによれば、曲げられた状態と平らな状態をより安定的に維持することができる。
また、本発明に係るフレキシブル電子デバイスによれば、ディスプレイ部とフレキシブル回路基板が損傷することを確実に防止することができる。
なお、本発明に係るフレキシブル電子デバイスによれば、長時間使用しても安定的に曲げられた状態と平らな状態を維持することができる。
また、本発明に係るフレキシブル電子デバイスによれば、一時的な電源供給により曲げられた状態を維持することによって、電力消費を最小化することができる。
更に、本発明に係るフレキシブル電子デバイスによれば、曲げられた状態から平らな状態に迅速に変形することができる。
【図面の簡単な説明】
【００１７】
【図１】従来の電子デバイスの斜視図
【図２】従来の電子デバイスを示す概念図
【図３】本発明の一実施形態に係るフレキシブル電子デバイスを示す概念図
【図４】本発明の一実施形態に係るフレキシブル電子デバイスの曲げ調整部の設置位置を示す概念図
【図５】本発明の一実施形態に係るフレキシブル電子デバイスの曲げ調整部を示す概念図
【図６】本発明の一実施形態に係るフレキシブル電子デバイスが曲がる状態を示す説明図
【図７】本発明の他の実施形態に係るフレキシブル電子デバイスに設けられる曲げ調整部を示す概念図
【図８】本発明の他の実施形態に係るフレキシブル電子デバイスが曲がる状態を示す概念図
【図９】本発明の他の実施形態に係るフレキシブル電子デバイスを示す概念図
【図１０】図９の曲げ調節部の拡大断面図
【図１１】図９に示すフレキシブル電子デバイスが曲げられた状態を示す説明図
【図１２】本発明の他の実施形態に係るフレキシブル電子デバイスを示す概念図
【図１３】本発明の他の実施形態に係るフレキシブル電子デバイスを示す概念図
【図１４】本発明に係る電子デバイスに結合される固定装置の外部プラスチックカバーを示す説明図
【図１５】本発明に係る電子デバイスに結合される固定装置の内部プラスチックカバーを示す説明図
【図１６】本発明に係る電子デバイスに結合される固定装置の断面図
【図１７】本発明に係る電子デバイスに結合される固定装置の拡大断面図
【図１８】本発明に係る電子デバイスに結合される固定装置が曲げられた状態を示す断面図
【発明を実施するための最良の形態】
【００１８】
以下、添付した図面を参照して、本発明に係るフレキシブル電子デバイスについて詳細に説明する。
図３は本発明の一実施形態に係るフレキシブル電子デバイスを示す概念図であり、図４のａ、ｂは本発明の一実施形態に係るフレキシブル電子デバイスの曲げ調整部の設置位置を示す概念図であり、図５は本発明の一実施形態に係るフレキシブル電子デバイスの曲げ調整部を示す概念図であり、図６は本発明の一実施形態に係るフレキシブル電子デバイスの撓みを示す状態図であり、図７は本発明の他の実施形態に係るフレキシブル電子デバイスに設けられる曲げ調整部を示す概念図であり、図８は本発明の他の実施形態に係るフレキシブル電子デバイスが曲がる状態を示す概念図であり、図９は本発明の他の実施形態に係るフレキシブル電子デバイスを示す概念図であり、図１０は図９の曲げ調節部の拡大断面図であり、図１１は図９に示すフレキシブル電子デバイスが曲げられた状態の状態図であり、図１２は本発明の他の実施形態に係るフレキシブル電子デバイスを示す概念図であり、図１３は本発明の他の実施形態に係るフレキシブル電子デバイスを示す概念図である。図１４は本発明に係る電子デバイスに結合される固定装置の外部プラスチックカバーを示す図であり、図１５は本発明に係る電子デバイスに結合される固定装置の内部プラスチックカバーを示す図であり、図１６は本発明に係る電子デバイスに結合される固定装置の断面図である。図１７は本発明に係る電子デバイスに結合される固定装置の拡大断面図である。図１８は本発明に係る電子デバイスに結合される固定装置が曲げられた状態を示す断面図である。
【００１９】
本発明はＴＶ、スマートフォン、ＰＤＡ、タブレットＰＣなどのディスプレイ部に備えられる平板型電子デバイスが特定の角度で曲げられた状態を維持することを可能にするフレキシブル電子デバイスに関するものである。図３に示すように、フレキシブル電子デバイスは、本体１００と、本体１００に備えられるディスプレイ部２００と、本体１００の内部に備えられるフレキシブル回路基板３００と、本体１００に備えられる曲げ調節部４００と、を含む構成を有する。
【００２０】
ここで、本体１００は全体又は一部が曲げられるフレキシブルな材質からなり、ディスプレイ部２００も、柔軟性に優れたＯＬＥＤ（Ｏｒｇａｎｉｃ  Ｌｉｇｈｔ  Ｅｍｉｔｔｉｎｇ  Ｄｉｏｄｅｓ）からなる。このＯＬＥＤの表面には柔軟性に優れた保護カバー（図示せず）が備えられて、この曲げ調節部４００により特定の角度で容易に曲げられる。
この時、曲げ調節部４００は図４のａに示すように、本体１００の長さ方向に沿って両側端に形成しても良く、図４のｂに示すように、本体１００の全体をカバーするように形成しても良い。また、図面に図示しなかったが、曲げ調節部４００は本体１００の内部に形成しても良く、本体１００の表面部に形成しても良く、本体１００の後部に着脱される本体カバー（図示せず）における両内側面に設けても良く、本体１００を保護するための保護ケース（図示せず）の内側面に設けても良い。
もちろん、本体カバー（図示せず）と保護ケース（図示せず）も全体又は一部が曲げられるフレキシブルな材質からなることは当然である。
【００２１】
また、曲げ調節部４００は図５に示すように、形状記憶合金、高弾性の金属、ポリマー又はポリマー複合材料からなる第１プレート４１０と、形状記憶合金からなる第２プレート４２０で構成される。第１プレート４１０と第２プレート４２０は互いに異なる形状を記憶するように形成することが好ましい。
ここで、第１プレート４１０は常温で平らな状態を維持させる形状記憶合金、高弾性の金属、ポリマー又はポリマー複合材料からなり、第２プレート４２０は特定の温度以上で曲げられた状態を記憶する形状記憶合金からなる。
即ち、本発明で説明する形状記憶合金はチタンＴｉとニッケルＮｉを主元素とするニチノールである、特定の温度以上では記憶した形状に戻る超弾性を有している。
もちろん、本発明の形状記憶合金は前述したニチノール（Ｎｉｔｉｎｏｌ）に限定されるものではなく、ニッケル系（Ｎｉ）、銅系（Ｃｕ）、鉄系（Ｆｅ）などに分類し、詳細には亜鉛（Ｚｎ）、アルミニウム（Ａｌ）、金（Ａｕ）、銀（Ａｇ）などの金属を組み合わせたＣｕ−Ｚｎ−Ｎｉ、Ｃｕ−Ｚｎ−Ａｌ、Ｃｕ−Ａｌ−Ｎｉ、Ａｇ−Ｎｉ、Ａｕ−Ｃｄなどの合金を用いることができる。
これによって、第１プレート４１０が形状記憶合金である場合、常温で超弾性を有するようにするために超弾性が発生する温度を使用する環境に応じて適切に調節することができる。一例として、韓国の夏に使用する場合、５乃至１０℃に設定することができる。
【００２２】
そして第２プレート４２０は、常温ではフレキシブルな状態を維持し、特定の温度以上になると超弾性が発現されるようにしなければならない。従って、５０℃程度に設定すると、韓国の場合、暑い夏にも安定的に使用することができ、超弾性が発現される温度は使用する環境に応じて適切に調節することができる。
この時、曲げ調整部４００を形成する第２プレート４２０は超弾性が発現される場合、第１プレート４１０より弾性が大きく作用するようにして、本発明の電子デバイスが第２プレート４２０が記憶している形状に曲げられた状態を維持している。
即ち、図６に示すように、常温では第１プレート４１０は超弾性状態であり、第２プレート４２０はフレキシブルな状態であるので、第１プレート４１０の超弾性によって曲げ調節部４００は平らな状態を維持するようになり、電子デバイスは平らな状態を維持する。また、第２プレート４２０の温度が所定の温度以上になると、第２プレート４２０が超弾性を示すようになり、それによって第１プレート４１０の超弾性による力と第２プレート４２０の超弾性による力のうち、第２プレート４２０の力が大きいため、第２プレート４２０が記憶する形状を維持することができる。
【００２３】
一方、第２プレート４２０を超弾性状態にするために、第２プレート４２０の一面には発熱層４２２を形成する。発熱層４２２は電気で作動する発熱フィルムを接着したり、電気で作動する材質をコーティングして形成する。
これによって、フレキシブル回路基板３００に備えられる制御部（図示せず）の制御により、この発熱層４２２に電気を供給して第２プレート４２０を加熱するようになり、第２プレート４２０の温度を所定の温度以上に維持させることによって、本発明の電子デバイスは曲げられた状態を維持するようになる。
そして、そのように曲げられた状態と平らになった状態は制御部の制御により設定する。
【００２４】
一方、第２プレート４２０は発熱層４２２が形成された他面に遮蔽層４２４が形成される。遮蔽層４２４は発熱層４２２から発生する熱電磁波が外部に伝達されることを遮断してフレキシブル回路基板３００やディスプレイ部２００の損傷を防止する。
そして、本発明の他の実施形態では、本体１００と、この本体１００に備えられるディスプレイ部２００と、この本体１００の内部に備えられるフレキシブル回路基板３００と、本体１００の内部に備えられる曲げ調節部４００と、を含むフレキシブル電子デバイスにおいて、図７に示すように、曲げ調整部４００ａは平板状の炭素繊維強化プラスチックからなるメインプレート４３０と、メインプレート４３０の内部に備えられる補助プレート４４０と、を含む。
ここで、補助プレート４４０は特定の温度以上で超弾性を示すようになって記憶した曲げられた状態を維持する形状記憶合金からなる。
この時、メインプレート４３０は炭素強化繊維からなり、炭素強化繊維は電気を供給すると、炭素成分によって熱を発生させる。従って、別の発熱のための部分を形成せず、炭素強化繊維からなるメインプレート４３０に電気を供給することによって、熱を発生させると共に、内部に備えられる補助プレート４４０を加熱して、補助プレート４４０が超弾性を示す温度以上を維持させるようになる。
【００２５】
また、メインプレート４３０の一面には遮蔽層４３２が形成されて、メインプレート４４０で発生した熱電磁波を遮断することで、ディスプレイ部２００とフレキシブル回路基板３００の損傷を防止する。
これによって、メインプレート４３０は常温で平らな状態を維持する超弾性特性を有しており、補助プレート４４０は特定の温度以上になると超弾性状態になって曲げられた状態を維持する。
もちろん、メインプレート４３０の弾性力と補助プレート４４０が超弾性状態のときに作用する弾性力のうち、補助プレート４４０の弾性力が大きく作用するように形成することは当然である。
【００２６】
一方、本発明の他の実施形態では、本体１００と、本体１００に備えられるディスプレイ部２００と、本体１００の内部に備えられるフレキシブル回路基板３００と、本体１００の内部に備えられる曲げ調整部４００を含むフレキシブル電子デバイスにおいて、図８に示すように、曲げ調節部４００ｂは常温でリング状を維持する形状記憶合金、高弾性の金属、ポリマー又はポリマー複合材料からなる第１プレート４１０ｂと、特定の温度以上で第１プレート４１０ｂが維持されるリング状の半径よりも大きな半径を有する円弧状を維持する形状記憶合金からなる第２プレート４２０ｂと、を含む。
これによって、常温では本発明の電子デバイスがリング状を維持するようになりブレスレットなどに使用することができ、電子デバイスを動作させると、制御部から第２プレート４２０ｂの発熱層（図示せず）を加熱して第２プレート４２０ｂが超弾性状態になるようにすることによって、電子デバイスが円弧状に変形するようになる。
この時、第２プレート４２０ｂの弾性力は超弾性状態になった時、第１プレート４１０ｂの弾性力よりも大きく形成されることはもちろんである。
【００２７】
一方、本発明の他の実施形態では、図９及び図１０に示すように、本体１００と、この本体１００に備えられるディスプレイ部２００と、本体１００の内部に備えられるフレキシブル回路基板３００と、本体１００の内部に備えられる曲げ調節部４００ｃと、を含む。
ここで、曲げ調節部４００ｃは特定の条件で記憶した形状に戻る形状記憶合金からなる形状記憶バネ４５０と、形状記憶バネ４５０の両端部に備えられるワイヤ４５４と、を含む。
そしてワイヤー４５４は、その一端が形状記憶バネ４５０の両端部に連結され、他端部は本体１００の両内側面に連結される。
【００２８】
一方、形状記憶バネ４５０はチタン（Ｔｉ）とニッケル（Ｎｉ）を主元素とするニチノール（Ｎｉｔｉｎｏｌ）を用いて、普段はフレキシブルな状態を維持しており、特定の温度以上では記憶した形状に戻る超弾性が発現される特性を有するようになる。
もちろん、本発明の形状記憶合金は前述したニチノール（Ｎｉｔｉｎｏｌ）に限定されるものではなく、ニッケル系（Ｎｉ）、銅系（Ｃｕ）、鉄系（Ｆｅ）などに分類し、詳細には亜鉛（Ｚｎ）、アルミニウム（Ａｌ）、金（Ａｕ）、銀（Ａｇ）などの金属を組み合わせたＣｕ−Ｚｎ−Ｎｉ、Ｃｕ−Ｚｎ−Ａｌ、Ｃｕ−Ａｌ−Ｎｉ、Ａｇ−Ｎｉ、Ａｕ−Ｃｄなどの合金を用いることができある。
これによって、形状記憶バネ４５０は、常温ではフレキシブルな状態を維持し、特定の温度（使用する環境に応じて設定することができるが、本発明においては５０℃を例として説明する）以上になる場合は、形状記憶合金が記憶するバネ形態に戻るようになる。
即ち、形状記憶バネ４５０とワイヤ４５４とを含む曲げ調節部４００ｃを本体１００の内部に設ける際に、形状記憶バネ４５０が記憶している形状にする場合は、ワイヤ４５４が本体１００の両内側面に当接しない程度の短い長さに形成して、常温で形状記憶バネ４５０がフレキシブルな状態を維持する時、形状記憶バネ４５０を両側に長く変形させてワイヤ４５４の端部を本体１００の両内側面に連結する。それによって、常温では形状記憶バネ４５０がフレキシブルな状態を維持するために、本体１００の弾性力によって形状記憶バネ４５０が両側に伸びた状態を維持するようになり、所定の温度である５０℃以上になる場合は、図１１に示すように、超弾性が発現されて元の形状に戻るようになる。従って、形状記憶バネ４５０の長さが小さくなり、それによって、ワイヤ４５４が引っ張られて本発明の電子デバイスが曲がるようになる。
【００２９】
一方、曲げ調整部４００ｃを形成する形状記憶バネ４５０の表面には発熱層４５２が形成される。この発熱層４５２は電気で作動する発熱フィルムを接着したり、電気で熱を発生する材質をコーティングして形成するようになる。
これによって、フレキシブル回路基板３００に備えられる制御部（図示せず）の制御によって曲げ調節部４００ｃの発熱層４５２に電気を供給させて、発熱層４５２で発生する熱により形状記憶バネ４５０が加熱されて所定の温度以上になると、形状記憶バネ４５０が超弾性を示すようになって記憶した形状に戻る。
また、形状記憶バネ４５０の外側には形状記憶バネ４５０が設けられる装着ボックス４６０を更に備えることができる。装着ボックス４６０は本体１００の内部に固設されることによって、形状記憶バネ４５０が任意に移動することを防止して本発明の電子デバイスが意図した形態に曲げられるようにする。
この時、バネ４５０の両端に連結されるワイヤ４５４は装着ボックス４６０の両側部に貫設される。
【００３０】
そして、装着ボックス４６０の表面には遮蔽層４６２が形成される。遮蔽層４６２は発熱層４５２によって発生する熱や電磁波が外部に伝達されることを遮断してフレキシブル回路基板３００やディスプレイ部２００の損傷を防止する。
この時、遮蔽層４６２は装着ボックス４６０の表面全体に亘って形成しても良く、フレキシブル回路基板３００とディスプレイ部２００が形成された方向の一面のみに形成しても良くる。
【００３１】
一方、本発明の他の実施形態では、図１２に示すように、本発明の電子デバイスを形成する本体１００の内部に備えられる曲げ調節部４００ｄは、特定の条件で記憶した形状に戻る形状記憶合金からなる形状記憶バネ４５０と、形状記憶バネ４５０の両端部に備えられるワイヤ４５４と、形状記憶バネ４５０が設けられる装着ボックス４６０と、装着ボックス４６０が内部の中心部に設けられ、ワイヤ４５４の両端部が両側面にそれぞれ連結されるカバーボックス４７０と、を含む。
ここで、カバーボックス４７０の背面の厚さは、前面より厚く形成されて高い弾性力を有している。それによって、形状記憶バネ４５０が特定の温度以上になって超弾性状態になると、ワイヤ４５４が引っ張られるようになる。この場合、弾性力が弱い前面の中心部が凹状に曲げられて、曲がる方向を調節することができる。
【００３２】
一方、本発明の他の実施形態では、図１３に示すように、本体１００と、この本体１００に備えられるディスプレイ部２００と、本体１００の内部に備えられるフレキシブル回路基板３００と、本体１００の内部に備えられる曲げ調節部４００ｅと、を含む。
ここで、曲げ調節部４００ｅは特定の条件で記憶した形状に戻る形状記憶合金からなる形状記憶輪４８０と、この形状記憶輪４８０の両端部に連結されるワイヤ４８４と、を含む。形状記憶輪４８０は図１３に示した形状以外にも、様々な形状の輪に形成することができる。
そして、形状記憶輪４８０の外側には形状記憶輪４８０が設けられる装着ボックス４６０が備えのに、装着ボックス４６０は本体１００の内部に固設されることによって、形状記憶輪４８０が任意に移動することを防止して、本発明の電子デバイスが意図した形態に曲げられるようにする。
この時、形状記憶輪４８０の両端に連結されるワイヤ４５４は装着ボックス４６０の両側部に貫設される。
【００３３】
一方、形状記憶輪４８０はチタンＴｉとニッケルＮｉを主元素とするニチノール（Ｎｉｔｉｎｏｌ）を用いて、普段はフレキシブルな状態を維持しており、特定の温度以上では記憶した形状に戻る超弾性が発現される特性を有するようになる。
もちろん、本発明の形状記憶合金は前述したニチノール（Ｎｉｔｉｎｏｌ）に限定されるものではなく、ニッケル系（Ｎｉ）、銅系（Ｃｕ）、鉄系（Ｆｅ）などに分類し、詳細には亜鉛（Ｚｎ）、アルミニウム（Ａｌ）、金（Ａｕ）、銀（Ａｇ）などの金属を組み合わせたＣｕ−Ｚｎ−Ｎｉ、Ｃｕ−Ｚｎ−Ａｌ、Ｃｕ−Ａｌ−Ｎｉ、Ａｇ−Ｎｉ、Ａｕ−Ｃｄなどの合金を用いることができある。
これによって、形状記憶輪４８０は、常温ではフレキシブルな状態を維持することによって、両端に連結されたワイヤ４８４によって両側に伸びて、本発明の電子デバイスが平らな状態を維持するようになり、特定の温度（使用する環境に応じて設定することができるが、本発明においては５０℃を例として説明する）以上になる場合は、形状記憶合金が記憶するバネ形態に戻って、ワイヤ４８４が引っ張られるようになる。
【００３４】
一方、本発明に係るフレキシブル電子デバイスは曲げられた状態を維持させるために結合される別の固定装置を含むことができる。
本発明に係る電子デバイスに結合される固定装置は、常に平面を維持しようとする性質を有する内部弾性カバーと、常に平面を維持しようとする性質を有する外部カバーと；を含むことができる。
【００３５】
図１４は本発明に係る電子デバイスに結合されて曲げられた状態を維持するための外部カバーを示す図である。図１４に示すように、本発明に係る電子デバイスに結合される固定装置５００の外部カバー５２０は、一面に形成された鋸歯状の結合部４９０が内部カバー５１０と結合され、炭素繊維強化プラスチックのように高弾性の炭素複合材料で製造することが好ましい。
図１５は本発明に係る電子デバイスに結合されて曲げられた状態を維持するための内部カバーを示す図である。図１５に示すように、本発明に係る電子デバイスに結合される固定装置５００の内部カバー５１０は、一面に鋸歯状の結合部４９０が形成され、外部カバー５２０と結合され、第3プレート４１５が形成されて、外側のカバーを曲げられた状態から平らな状態に変形させる。本発明に係る内部カバー５１０もやはり炭素繊維強化プラスチックのように高弾性の炭素複合材料で製造することが好ましい。
【００３６】
具体的には、本発明に係る第3プレート４１５は平面状態で一時的に電源の供給を受けて、瞬間的な超弾性の力によって予め記憶した曲面状に曲げられる。この時、内部カバー５１０と結合されている外部カバー５２０を押圧して、外部カバー５２０を曲げられた状態から平らな状態に変形させる。それによって、内部カバー５１０と外部カバー５２０との結合が解除されると共に、内部カバー５１０及び電子デバイスも平らな状態に変形され、第3プレート４１５に供給される電源が遮断されながら、第3プレート４１５はフレキシブルな状態になる。従って、外部カバー５２０と内部カバー５１０との間は、同様に平らな状態に変形される。これによって、本発明に係る電子デバイスが曲げられた状態で、第２プレート４２０に電源が供給されない場合にも、電子デバイスに結合される別の固定装置５００により曲げられた状態が維持されるので、電子デバイスの電力消費を最小化することができる。
【００３７】
本発明に係る電子デバイスを携帯電話として実現する場合、音声通話が開始すると、第２プレート４２０は電源の供給を受けて、発熱により超弾性状態になって曲げられた状態に変形される。また、曲げられた状態で電源の供給が遮断されても、固定装置５００により曲げられた状態が維持される。そして、通話が終了した場合、第3プレート４１５により固定装置５００の結合が解除されて、電子デバイスは再び平らな状態に変形される。
これによって、一時的な電源供給により曲げられた状態を維持することによって、電力消費を最小化することができ、曲げられた状態から平らな状態に迅速に変形することができる。
この時、本発明に係る電子デバイスは曲げられた状態を維持するためのユーザーインターフェイスをユーザーに提供して曲げられた状態のオンオフと、曲げられた状態を維持する時間をユーザーから入力を受けることができ、ユーザーから入力された情報に基いて第２プレート４２０への電源の供給を制御することによって、ユーザーの利便性を向上させることができる。
【００３８】
図１６は、本発明に係る外部カバー５２０と内部カバー５１０とが結合された状態を示す固定装置の断面図である。図１６に示すように、本発明に係る第3プレート４１５は内部カバー５１０の外側、つまり外側のカバー５２０側に向かって設けられることができる。
【００３９】
図１７は、本発明に係る外部カバー５２０と内部カバー５１０とが結合された状態を示す固定装置の拡大断面図である。図１７に示すように、本発明に係る内部カバー５１０と外部カバー５２０は曲げられる場合、図１８に示すように、曲率半径の差により結合される鋸歯の位置が変更され、内部カバー５１０と外部カバー５２０の一端との間には別の連結部材４９２が設けられて、曲げられた状態で結合を維持することができる。
【００４０】
以上、好ましい実施形態を通じて本発明を説明したが、本発明はこれらによって限定されず、当業者によって本発明の技術思想と特許請求の範囲の均等範囲内で多様な修正及び変形が可能である。
【図１】
0006480426.tif 000002
【図２】
0006480426.tif 000003
【図３】
0006480426.tif 000004
【図４】
0006480426.tif 000005
【図５】
0006480426.tif 000006
【図６】
0006480426.tif 000007
【図７】
0006480426.tif 000008
【図８】
0006480426.tif 000009
【図９】
0006480426.tif 000010
【図１０】
0006480426.tif 000011
【図１１】
0006480426.tif 000012
【図１２】
0006480426.tif 000013
【図１３】
0006480426.tif 000014
【図１４】
0006480426.tif 000015
【図１５】
0006480426.tif 000016
【図１６】
0006480426.tif 000017
【図１７】
0006480426.tif 000018
【図１８】
0006480426.tif 000019